(57)【要約】【課題】本発明は、操作軸の回転操作を円滑に行い得る外部操作型タップ切換器を備えた変圧器を提供することにある。【解決手段】本発明は、操作軸１７と外部操作ハンドル２２とを連結構成とし、その連結構成を、周方向には互いに拘束し軸方向には互いに自由となるように構成したのである。  上記構成とすることで、操作軸１７と外部操作ハンドル２２とは分離される。その結果、外部操作ハンドル２２の軸受部２０と操作軸１７下端の軸受部１５間に軸芯ずれが生じても、この軸芯ずれによって操作軸１７と外部操作ハンドル２２とは互いに拘束されることはなくなり、操作軸１７と外部操作ハンドル２２とは固渋することなく夫々自由に回動することができ、操作軸１７の回転操作を円滑に行うことができる。【選択図】  図１
2005311017.tif 000002
【特許請求の範囲】
【請求項１】
変圧器巻線から引き出された複数のタップ線に接続されたタップ端子と、これらタップ端子と接触・解離する接触子と、この接触子を変圧器タンク外から操作軸を介して操作する外部操作ハンドルとを有する外部操作型タップ切換器を備えた変圧器において、前記操作軸と前記外部操作ハンドルとを連結構成とし、その連結構成を、周方向には互いに拘束し軸方向には互いに自由となるように構成したことを特徴とする外部操作型タップ切換器を備えた変圧器。
【請求項２】
変圧器巻線から引き出された複数のタップ線に接続されたタップ端子と、これらタップ端子と接触・解離する接触子と、この接触子を変圧器タンク外から操作軸を介して操作する外部操作ハンドルとを有する外部操作型タップ切換器を備えた変圧器において、前記操作軸と前記外部操作ハンドルとを連結構成とし、その連結構成を、周方向には互いに拘束し軸方向には互いに自由となるように構成すると共に、前記外部操作ハンドルを前記操作軸側に押圧する押圧ばねを設けたことを特徴とする外部操作型タップ切換器を備えた油入変圧器。
【請求項３】
前記外部操作ハンドルは、操作位置を表示する指針を有することを特徴とする請求項１又は２記載の外部操作型タップ切換器を備えた油入変圧器。
【請求項４】
前記外部操作ハンドルは、操作位置を保持する保持機構が固定部材との間に形成されていることを特徴とする請求項１又は２記載の外部操作型タップ切換器を備えた油入変圧器。
【請求項５】
前記外部操作ハンドルは、前記操作軸の軸方向に押圧する押圧ばねによって前記操作位置に固定されていることを特徴とする請求項４記載の外部操作型タップ切換器を備えた油入変圧器。
【請求項６】
変圧器巻線から引き出された複数のタップ線に接続されたタップ端子と、これらタップ端子と接触・解離する接触子と、この接触子を変圧器タンク外から操作軸を介して操作する外部操作ハンドルとを有する外部操作型タップ切換器を備えた変圧器において、前記操作軸に対して連結体とハンドル軸を介して前記外部操作ハンドルを連結し、前記操作軸と連結体との連結構成及びハンドル軸と外部操作ハンドルとの連結構成を、夫々周方向には互いに拘束し軸方向には互いに自由となるように構成すると共に、前記外部操作ハンドルと前記ハンドル軸間に外部操作ハンドルを下方に押圧する押圧ばねを設けたことを特徴とする外部操作型タップ切換器を備えた油入変圧器。
【発明の詳細な説明】
【技術分野】
【０００１】
本発明は外部操作型タップ切換器を備えた変圧器に係り、特に、タップ切換器操作部を改善した外部操作型タップ切換器を備えた変圧器に関する。
【背景技術】
【０００２】
一般に、外部操作型タップ切換器を備えた変圧器は、例えば特許文献１に開示されているように、既に提案されている。
【０００３】
【特許文献１】特開平９−３３０８２８号公報
【発明の開示】
【発明が解決しようとする課題】
【０００４】
上記特許文献１に記載の一般の外部操作型タップ切換器を備えた変圧器は、操作軸と外部操作ハンドルとが一体構成となっている。そのために、組立誤差や変圧器タンクの変形等によって外部操作ハンドルの軸支部と操作軸下端の軸支部間に軸芯ずれが生じ易い。その結果、外部操作ハンドルを回転させようとしたとき、操作軸が固渋することがあり、この固渋に打ち勝つ大きな力で外部操作ハンドルの回転操作を行わねばならず、円滑なタップ切換えに支障をきたすことになる。
【０００５】
本発明の目的は、操作軸の回転操作を円滑に行い得る外部操作型タップ切換器を備えた変圧器を提供することにある。
【課題を解決するための手段】
【０００６】
本発明は上記目的を達成するために、操作軸と外部操作ハンドルとを連結構成とし、その連結構成を、周方向には互いに拘束し軸方向には互いに自由となるように構成したのである。
【０００７】
上記構成とすることで、操作軸と外部操作ハンドルとは分離されるので、外部操作ハンドルの軸受部と操作軸下端の軸受部間に軸芯ずれが生じても、この軸芯ずれによって操作軸と外部操作ハンドルとは互いに拘束されることはなくなる。その結果、操作軸と外部操作ハンドルとは軸芯ずれによって固渋することなく夫々自由に回動することができ、操作軸の回転操作を円滑に行うことができる。
【発明の効果】
【０００８】
以上説明したように本発明によれば、操作軸の回転操作を円滑に行い得る外部操作型タップ切換器を備えた変圧器を得ることができる。
【発明を実施するための最良の形態】
【０００９】
以下本発明による外部操作型タップ切換器を備えた変圧器の一実施の形態を図１〜図７に基づいて説明する。
【００１０】
本実施の形態による変圧器は、外部操作型無電圧タップ切換器を備えた変圧器で、鉄心１と、この鉄心１の脚部に巻装された変圧器巻線２Ａ〜２Ｃとを有し、これら鉄心１と変圧器巻線２Ａ〜２Ｃとを絶縁油３を満たした変圧器タンク４内に収納している。
【００１１】
前記変圧器巻線２Ａ〜２Ｃからは、複数のタップ線５が引き出され、引き出された各タップ線５の端部にはタップ端子６が接続され、一方向に整列されている。
【００１２】
前記変圧器タンク４の上部はタンクカバー７で覆われており、このタンクカバー７を貫通する貫通ブッシング８を介して前記変圧器巻線２Ａ〜２Ｃに電力線９が接続されている。また、このタンクカバー７には、整列された前記タップ端子６に沿ってガイド１０がブラケット１１Ａ，１１Ｂを介して吊下げられており、このガイド１０には移動子１２が案内されている。そして、移動子１２は、前記タップ端子６と接触・解離する接触子１３Ａ〜１３Ｃをガイド１０に沿って駆動するように構成されている。
【００１３】
さらに、前記変圧器タンク４を貫通してタップ切換器操作部１４が設けられている。このタップ切換器操作部１４は、ブラケット１１Ｂに支持された軸支部１５を貫通した下端部に前記移動子１２のラック（図示せず）と噛合う歯車１６を設けた操作軸１７と、この操作軸１７と軸方向には自由に摺動し周方向には互いに拘束するように連結された管状の連結体１８と、この連結体１８と軸方向には自由に摺動し周方向には互いに拘束するように連結されたハンドル軸１９と、このハンドル軸１９を定位置で周方向に摺動軸支する軸支部２０と、この軸支部２０の上部に形成された軸封部２１と、この軸封部２１を越えた上方に前記ハンドル軸１９と係合する外部操作ハンドル２２とを備えている。
【００１４】
前記軸封部２１内には、漏洩しようとする絶縁油３を遮断するＯリング２３が前記ハンドル軸１９を囲むように設けられている。また、前記外部操作ハンドル２２は、ハンドル軸１９に対して軸方向には自由に摺動し周方向には互いに拘束するように連結され、ハンドル軸１９の外周で外部操作ハンドル２２の内周となる位置に押圧ばね２４を内蔵している。この押圧ばね２４は、外部操作ハンドル２２をハンドル軸１９の下方に向かって押圧する圧縮ばねであり、この圧縮ばねを圧縮させることで外部操作ハンドル２２のみを上方に変位させることができる。
【００１５】
この他、外部操作ハンドル２２の近傍には、操作位置を保持する保持機構が固定部材との間に形成されている。具体的には、軸封部２１のカバー２１Ｃの外周部に、タップ切換位置を示す記号と対応して切り欠き溝２５が設けられており、この切り欠き溝２５内に係合する指針を兼ねる係合子２６が前記外部操作ハンドル２２の外周部に設けられている。この係合子２６は、外部操作ハンドル２２が押圧ばね２４によって下方に押圧されているときに前記切り欠き溝２５内に係合し、押圧ばね２４に逆らって外部操作ハンドル２２を持ち上げたときに前記切り欠き溝２５との係合が解かれるように形成されている。
【００１６】
そして、通常時には、外部操作ハンドル２２をカバー２７で覆って不用意にハンドル操作が行われないようにしている。
【００１７】
また、本実施の形態において、最も重要な構成は、操作軸１７と外部操作ハンドル２２との連結構成である。操作軸１７とハンドル軸１９とには、夫々直交する方向に係合ピン１９Ｐを設け、これら操作軸１７とハンドル軸１９を連結する管状の連結体１８の端部には、前記係合ピン１９Ｐを係合する軸方向に長い係合溝１８Ｇが設けられている。このように、係合溝１８Ｇと係合ピン１９Ｐとでの連結構成とすることで、操作軸１７とハンドル軸１９とは軸方向には自由に移動でき周方向には互いに係合して拘束し合う連結構成が得られる。
【００１８】
上記構成において、タップ位置を変更する場合には、外部操作ハンドル２２を覆っているカバー２７を取り外し、外部操作ハンドル２２を押圧ばね２４に逆らって持ち上げ、指針を兼ねる係合子２６をカバー２１Ｃの切り欠き溝２５外に位置させる。その状態で、必要とするタップ位置が表示された切り欠き溝２５まで外部操作ハンドル２２を回動させ、押圧ばね２４の押圧力を利用して外部操作ハンドル２２を下方に押圧することで、対応する切り欠き溝２５内に係合子２６を係合させてタップ位置を保持する。そして、再び外部操作ハンドル２２を覆うカバー２７を取付けて作業を終了する。
【００１９】
以上説明したように構成したので、仮に、操作軸１７の軸支部１５とハンドル軸１９の軸支部２０との軸芯がずれても、その軸芯ずれを連結体１８による余裕のある連結構成、特に、係合溝１８Ｇと係合ピン１９Ｐとの連結構成によって容易に吸収できる。その結果、軸支部１５と軸支部２０との軸芯ずれによっても操作軸１７と外部操作ハンドル２２とは互いに拘束されることはなくなるので、外部操作ハンドル２２を回動させても固渋することなく夫々自由に回動することができ、操作軸１７の回転操作を円滑に行うことができる。
【００２０】
また、外部操作ハンドル２２と操作軸１７とが一体構成であると、タップ位置を変えるときに外部操作ハンドル２２を引き上げると、操作軸１７がＯリング２３を摩擦により引っ張り上げることになり、それが繰返されると、Ｏリング２３が劣化して油洩れの原因になる。また、操作軸１７が引き上げられることで、移動子１２のラックと歯車１６との噛合いが外れるので、移動子１２のラックや歯車１６の厚さを厚くして係合外れがない構成にしなければならなかった。しかし、本実施の形態においては、外部操作ハンドル２２のみを押圧ばね２４に逆らって引き上げることができるので、ハンドル軸１９の上方移動によるＯリング２３の引き上げは皆無となるのでＯリング２３の劣化はなく、また、操作軸１７の上方移動もないので、係合外れを考慮して移動子１２のラックや歯車１６の厚さを厚くする必要もない。
【００２１】
ところで以上の変圧器は、油入変圧器を一例に説明したが、油入変圧器に限定されるものではなく、例えばガス絶縁変圧器等にも適用できることは云うまでもない。
【図面の簡単な説明】
【００２２】
【図１】本発明による外部操作型タップ切換器を備えた変圧器の外部操作型タップ切換器の一実施の形態を示す要部断面図。
【図２】図１の右側面図。
【図３】図２の外部操作ハンドルを示す拡大図。
【図４】図３のＡ−Ａ断面図。
【図５】図３の一部破断平面図。
【図６】図３のＢ−Ｂ断面図。
【図７】本発明による外部操作型タップ切換器を備えた変圧器を示す縦断面図。
【符号の説明】
【００２３】
１…鉄心、２Ａ〜２Ｃ…変圧器巻線、４…変圧器タンク、５…タップ線、６…タップ端子、７…タンクカバー、１３Ａ〜１３Ｃ…接触子、１４…タップ切換器操作部、１７…操作軸、１８…連結体、１９…ハンドル軸、１５，２０…軸支部、２２…外部操作ハンドル、２４…押圧ばね、２５…切り欠き溝、２６…係合子。
【図１】
2005311017.tif 000003
【図２】
2005311017.tif 000004
【図３】
2005311017.tif 000005
【図４】
2005311017.tif 000006
【図５】
2005311017.tif 000007
【図６】
2005311017.tif 000008
【図７】
2005311017.tif 000009